(57)【特許請求の範囲】
【請求項１】
直角状に屈曲する雨樋曲りの外側壁部を高さの途中で切離して樋本体部と飾り側壁部とを個別に成形し、その後この両者を接着剤を介して接合して一体に組合せ形成するようにした雨樋曲りにおいて、
前記樋本体部の外側壁部の切離し上縁部には上端部から縦に挿入切割部を設ける支持片を垂直に立設し、また前記飾り側壁部には前記支持片に対応する内面部に断面Ｔ字形をなす連結係合突片を縦に突設して該連結係合突片を前記支持片の挿入切割部に上端から嵌入し、これにより前記樋本体部と飾り側壁部とを連結すると同時に、該樋本体部と飾り側壁部の前記切離し縁部相互を衝き合せ状に位置合せしてこの縁部相互間に介挿する前記接着剤により接合し、組立て形成することを特徴とした雨樋曲り。
【請求項２】
請求項１の記載において、支持片は樋本体部の切離し縁部に適宜間隔をおいて複数個立設すると共に、該支持片に各対応させて飾り側壁部の内面部に複数個の連結係合突片を設けることを特徴とした雨樋曲り。
【請求項３】
請求項１の記載において、樋本体部の切離し縁部には縁に沿って外側に衝き合せ段部を設けて小突片を立設し、飾り側壁部の切離し縁部を該小突片の外側に添わせ上記衝き合せ段部に当接すると共に、該当接部分に介挿する接着剤により接合することを特徴とした雨樋曲り。
【請求項４】
請求項１の記載において、樋本体部の連結端の外側壁部の上部には固定外側壁部を延設し、その端縁に沿って接合小突片を設けて該接合小突片を前記飾り側壁部の端縁に対して内側から接面させ、この両者間に介挿する接着剤で接合するようにしてなることを特徴とした雨樋曲り。
【発明の詳細な説明】
【０００１】
【産業上の利用分野】
本発明は、屋根の隅部において直角状に衝き合う軒樋相互を連結するための雨樋曲りに関する。
【０００２】
【従来の技術】
多くの雨樋はポリ塩化ビニル等の合成樹脂を材料に量産されているが、なかでも構造が複雑になる接合部分に使用される樋継手や集水器等は殆どが射出成形によって製造されている。これらのものにおいて凹凸形状が複雑なもの、特に飾りを一体に設けるものは全体的形状が複雑になることから金型の製作が厄介になり、中には一体的な成形が出来ないものがある。
【０００３】
この様なものにおいて雨樋曲りの一つに元来一体物であるものを部分に分割して個別に成形し、成形後組合せて完成品とするものが特開平４ー２０６４６号によって提案されている。
この既提案に係る雨樋曲りは上側壁部が下側壁部と底部からなる本体部分の成形において邪魔になることから、この上側壁部を予め切離して個別に形成し、成形後両者を接着剤によって接合し完成させるもので、このときこの提案では上記上側壁部と下側壁部の衝き合せ部における接合を補助するため嵌合凹凸部を形成して相互に嵌め合せ接着剤による接合が円滑に行えるようにしている。
【０００４】
【発明が解決しようとする問題点】
上記提案に係る発明は全体の形状を複雑にする部分を本体部から切離してそれぞれの部分の形状を単純化し、これによって金型の製作を容易にし製造性を高めている点で従来の一つの問題点を解決するものとなっている。しかし、この方法の一つの難点は成形後の組立にある。
既提案に係る樋曲りは上側壁部と下側壁部の接合のため嵌合凹凸部を形成し、この嵌め合せによって両者の位置合せを行うと同時に、この間に介挿する接着剤で接合するものとしているが、壁部の衝き合せ部に形成される嵌合凹凸部は数ミリの狭い板厚部分に形成されることから小さいものであり、従ってその嵌め合せは厄介であると共に、接着剤が固化するまでこの嵌め合せ状態を保持しなければ接着不良を起こすことから安定した状態での固定が必要となり、これが製造の妨げとなっている。
【０００５】
本発明はこの様な分割成形後の組立時における問題点に鑑みこれを改善する目的で開発されたもので、雨樋曲りの樋本体部と外側面を構成する飾り側壁部との接合部の位置合せを迅速且つ確実に行えるようにしたものであり、またこの両者の位置合せ状態を安定的に保持して接合部に充填する接着剤の固化に対応できるようにして良質な雨樋曲りを容易に量産できるようにしたことにある。
【０００６】
【問題点を解決するための手段】
本発明は上述目的に基づき、予め分割して成形される部分相互の接合部の改善によって前記従来の問題点を解決せんとするものでその特徴とするところは直角状に屈曲する雨樋曲りの外側壁部を高さの途中から切離し樋本体部と飾り側壁部とに個別に形成したのちこの両者を接着剤を介して接合し一体に組合せてなる雨樋曲りにおいて、上記樋本体部の外側壁部の切離し上縁部には上端部から縦に挿入切割部を設ける支持片を立設し、他方前記飾り側壁部には上記支持片に対応した内面部に断面Ｔ字形をなす連結係合突片を突設して該連結係合突片を前記支持片の切割部に嵌入し、前記樋本体部と飾り側壁部の両切離し縁部相互を位置合せしてなることを特徴とした雨樋曲りを提供することにある。
【０００７】
そしてまた本発明は上記雨樋曲りにおいて、前記支持片は樋本体部の切離し縁部に適宜間隔をおいて複数個立設すると共に、該支持片に各対応させて飾り側壁部の内面部に複数個の連結係合突片を設けてなることを特徴とした雨樋曲りを提供することにある。
【０００８】
そして更に本発明は前記雨樋曲りにおいて、前記樋本体部の切離し縁部には縁に沿って外側に衝き合せ段部を設けて小突片を立設し、飾り側壁部の切離し縁部を該小突片の外側に添わせ上記衝き合せ段部に当接することを特徴とした雨樋曲りを提供することにある。
【０００９】
また本発明は前記雨樋曲りにおいて、樋本体部の連結端の外側壁部の上部には該固定外側壁部を延設し、その端縁に接合小突片を設けて前記飾り側壁部の端縁に内側から接面するようにしてなることを特徴とした雨樋曲りを提供することにある。
【００１０】
【作    用】
本発明は上述の構成から樋本体部の上方から飾り側壁部を臨ませ支持片の挿入切割部上端から飾り側壁部の連結係合突片を割込ませてこれを案内に衝き合せると両者の切離し縁部が定位置において自動的に衝合することになり、この間に充填する接着剤によって接合されると共に、この両者の衝き合せ関係は上記支持片と連結係合突片との結合によって一定姿勢に保持されることになる。
そして更に上記切離し縁部においては樋本体部の外側壁部の縁部に立設する小突片の外側に飾り側壁部の縁部が接面し、併せて衝き合せ段部に当接することになり、両縁部の密接な係合関係が得られ接合されることになる。
【００１１】
【実施例】
次に、本発明に係る雨樋曲りについて図面に示す実施例に基づき詳述し、併せてその他の特徴につき説明する。
図１は組立完成状態にある雨樋曲りの平面図である。図２は拡大した正面図、図３は一部欠截した拡大左側面図、図４は飾り側壁部を外した状態の樋本体部の平面図、図５は図４の拡大正面図、図６は同じく左側面図、図７は飾り側壁部の一部欠截した平面図、図８は図７の右側面図、図９は同じく正面図である。
【００１２】
本発明の雨樋曲りは図示するように直角状に屈曲する樋本体部１と、この樋本体部の外側壁部の一部をなす飾り側壁部２とから構成される。上記樋本体部１はＬ字形の両端部にそれぞれ軒樋（図示せず）を接続する連結部１ａ，１ｂが設けられる。
この樋本体部１は上方から見てＬ字形をなす底板３の両側縁から内外の側壁部４，５を対向状に立設し断面コ字形をなす樋に形成してあり、高さを低くした外側壁部５の上縁部には外方に屈曲延長する拡張部６を設け、更にこの拡張部の前記連結部１ａ，１ｂに臨む縁部からは立上り状に固定外側壁部７ａ，７ｂが延設している。
【００１３】
飾り側壁部２は上記形成される樋本体部１の外側壁部５の上縁、つまり上記拡張部６の端縁と固定外側壁部７ａ，７ｂの端縁間に囲まれる開口部を塞いで求める雨樋曲りを形成するものであり、縦方向の断面形状を上記固定外側壁部７ａ，７ｂに揃えて一致させると共に、外側壁部５の上縁の全長に亘って両固定外側壁部間を繋ぐように平面断面形が略Ｌ字形をなすよう形成してある。
【００１４】
樋本体部１の外側壁部５の上縁部、つまりここでは拡張部６の端縁には内方に僅かに後退した位置から全長に亘って小突片８を立設し、この小突片の外側に衝き合せ段部９を設け、更に、この小突片８の延長線上に揃うように前記固定外側壁部７ａ，７ｂの端縁に同じく接合小突片１０，１１を設けている。
上記小突片８は飾り側壁部の下縁部１２を添わせ段部９に当接誘導するものであり、接合小突片１０，１１はこのとき飾り側壁部の両端部１３，１４を接面させてそれぞれの内外面の衝き合せを密に接合させる。
【００１５】
図中、１５，１６は上記飾り側壁部２を樋本体部１に接合する際この両者の位置合せと同時に、接合状態を保持するための支持片と連結係合突片である。
支持片１５は樋本体部１の小突片８上から垂直に起立する板片として形成してあり、上端部から中央部に沿って縦の挿入切割部１７を設けている。
【００１６】
一方、連結係合突片１６は飾り側壁部２の下縁部１２の方向から内面に沿って縦に突設してあり、断面Ｔ字形にして幅員を挟めた基部１６ａを前記支持片の切割部１７に挿入することによって拡張部１６ｂを係合させて連結できるようにしてある。尚、この連結係合突片１６はここでは下端を上記飾り側壁部の下縁部１２から離してあり、支持片１５の切割部１７に挿入したとき下縁部１２が衝き合せ段部９に当接するのを妨げないようにしてある。
【００１７】
この実施例において支持片１５は直角の２辺を構成する外側壁部５の各辺に１個づつ設けてあり、これに合せて飾り側壁部２の内面にそれぞれ対応するように２個の連結係合突片１６を設けてある。ここではこれによって２個所で連結させ安定した係合が得られるようにしてある。
【００１８】
尚、実施例では樋本体部１の両端の連結部１ａ，１ｂに摺動自由な可動樋１８を組付けると共にこの間に伸縮装置１９を介在させ、軒樋の端部を上記可動樋１８上に重ね合せに接続させると共に、この軒樋の熱膨張収縮に伴う移動を上記伸縮装置１９によって吸収調節するようにしてある。
【００１９】
本発明は上述の様に構成されるもので、樋本体部１と飾り側壁部２はポリ塩化ビニルを材料にして個別に射出成形される。この場合、飾り側壁部２は全体としてＬ字形に曲成された板状をなすものであることから簡単な金型によって製造される一方、樋本体部１は上方を開放した断面コ字形をなし、且つ外側壁部５の上縁部に小突片８と支持片１５等が一体に設けられることから幾分金型が複雑になるが、上記飾り側壁部２が外れた状態で成形できるためこれを一体に成形する場合に比較して遙に容易なものとなることは言うまでもない。
【００２０】
個別に成形された樋本体部１と飾り側壁部２とは樋本体部１の外側壁部５の上方から飾り側壁部２を臨ませ、この側壁部内面に設ける連結係合突片１６の基部１６ａを起立する支持片１４の上端から切割部１７に突き入れ、そのまゝこの切割部１７を案内に差し込むことによって組合される。この組付けに先立って飾り側壁部２の下縁部１２とその両端部１３，１４の内面部分、及び樋本体部１の外側壁部５の上縁部に起立する小突片８と固定外側壁部の接合小突片１０，１１の各外面には接着剤を塗布しておくことになる。
【００２１】
上記の如くして樋本体部１と飾り側壁部２とを抱き合せ状に組合せると、飾り側壁部２は支持片１５の誘導によって下縁部１２を樋本体部１の小突片８の外面に沿って段部９に当接するまで下降し、相互に接面することになる。そして、この両者を定位置において衝き合せ状に接着剤を介して接合させることになる。また同時に、飾り側壁部２の両端部１３，１４においては固定外側壁部７ａ，７ｂから延出する接合小突片１０，１１の外面に重り状に誘導されることになり互いに接面して前記塗布した接着剤によって接合されることになる。
【００２２】
ところで、前述した様に支持片１５は所要の高さに形成してあり、この高さに合せて連結係合突片１６を縦長に形成してあることから係合時には図１０，１１に示した如く両者がその全長に亘って緊密に連結することになる。このため組付けに際して飾り側壁部２は垂直に誘導され下縁部１２を外側壁部５の上縁部に直角に当接すると共に、両端縁１３，１４を接合小突片１０，１１の外面に接面状に誘導して密着した状態に接合することになる。
【００２３】
従って、樋本体部１と飾り側壁部２とは支持片１５と連結係合突片１６の連結結合によって接合部同志を正確に一致させ、接着剤による接合を確実に達成させると同時に、この両者の組合せ状態が保持されることから接着剤の固化まで一定の組合せ状態が保たれることになる。
【００２４】
【発明の効果】
以上本発明を実施例につき説明したが、上述構成において明らかなように別体に成形される樋本体部と飾り側壁部は組合せ時に支持片と連結係合突片の係合によって相互に定位置での結合をなすことから、長い区間における縁部同志の衝き合せ作業に手間がかゝらず容易且つ迅速に行えると共に常に正確に組合せ結合できる利点がある。
そして本発明は上記支持片と連結係合突片の係合が一定の組合せ関係を保持し両者の位置を固定することから両者間の接合部に充填した接着剤が固化するまで安定的に保持することができ、従ってこの固化の間他の手段によって保持する必要がなくなることから製造上極めて有利であり、且つ良質の製品を得ることができる。
【図面の簡単な説明】
【図１】本発明に係る雨樋曲りの組立完成状態における平面図。
【図２】図１に示す雨樋曲りの拡大正面図。
【図３】図１に示す両樋曲りの一部欠截する拡大左側面図。
【図４】飾り側壁部を外した樋本体部の平面図。
【図５】図４に示す樋本体部の拡大正面図。
【図６】図４に示す樋本体部の拡大左側面図。
【図７】飾り側壁部の一部欠截する平面図。
【図８】飾り側壁部の右側面図。
【図９】飾り側壁部の正面図。
【図１０】樋本体部の支持片と飾り側壁部の連結係合突片との係合状態を示す一部欠截する要部の拡大左側面図。
【図１１】支持片に係合する連結係合突片を図１０のＡ−Ａ線の位置で断面とした要部の拡大平面図。
【図１２】外側壁部の上縁から延長する拡張部の縁部と、これに当接する飾り側壁部下縁部との接合状態を説明する拡大縦断面図である。
【符号の説明】
１            樋本体部
２            飾り側壁部
３            底板
４            内側壁部
５            外側壁部
６            拡張部
７ａ，７ｂ    固定外側壁部
８            小突片
９            衝き合せ段部
１０，１１    固定外側壁部の端縁
１２          飾り側壁部の下縁部
１３，１４    飾り側壁部の端部
１５          支持片
１６          連結係合突片
１６ａ        連結結合突片の基部
１６ｂ        連結結合突片の拡張部
１７          挿入切割部
【図１】
0003612628.tif 000002
【図２】
0003612628.tif 000003
【図３】
0003612628.tif 000004
【図４】
0003612628.tif 000005
【図５】
0003612628.tif 000006
【図６】
0003612628.tif 000007
【図７】
0003612628.tif 000008
【図８】
0003612628.tif 000009
【図９】
0003612628.tif 000010
【図１０】
0003612628.tif 000011
【図１１】
0003612628.tif 000012
【図１２】
0003612628.tif 000013